(57)【要約】【課題】収納室を含む建物内部の換気を効率良く行うことができる収納室の換気構造を提供することを目的とする。【解決手段】特定階１の床１ａと中間床２との間が収納室３とされ、この収納室３は特定階１の床１ａ上の部屋４と外壁５とに隣接して配置されており、中間床２の下方に収納室３の天井面を構成する天井板６が設けられるとともに、この天井板６と中間床２の床板２ａの裏面との間に、建物外部と部屋４とを連通する換気通路７が形成されており、この換気通路７は、天井板６に換気通路７と収納室３とを連通するための換気孔８が形成されることによって収納室３内に開口していることを特徴とする収納室３の換気構造。これにより、収納室内に多数の物品が収納された場合であっても、収納物品は天井板より高く積み上げられることがなく、換気通路を常時確保しておくことができる。【選択図】図１
2008082025.tif 000002
【特許請求の範囲】
【請求項１】
特定階の床の一部上に設けられた中間床と前記特定階の床との間が収納室とされ、この収納室は前記特定階の床上に設けられた部屋と外壁とに隣接して配置されており、
前記中間床の下方に収納室の天井面を構成する天井板が設けられるとともに、この天井板と前記中間床の床板の裏面との間に、建物外部と前記部屋とを連通する換気通路が形成されており、
この換気通路は、前記天井板に換気通路と収納室とを連通するための換気孔が形成されることによって前記収納室内に開口していることを特徴とする収納室の換気構造。
【請求項２】
請求項１に記載の収納室の換気構造において、
前記収納室の天井高が約１．４ｍ以下に設定されていることを特徴とする収納室の換気構造。
【請求項３】
請求項１または２に記載の収納室の換気構造において、
前記換気通路は、前記中間床を下方から支持する複数の根太のうち、隣り合う根太間の隙間を利用して形成されていることを特徴とする収納室の換気構造。
【請求項４】
請求項１〜３のいずれか一項に記載の収納室の換気構造において、
前記換気通路は、この換気通路の一端に前記外壁に形成された空気取入口を備えるとともに、他端に前記中間床の部屋側端面に形成された換気口を備えていることを特徴とする収納室の換気構造。
【請求項５】
請求項４に記載の収納室の換気構造において、
前記空気取入口および換気口は、これら空気取入口および換気口を開閉する開閉手段を備えていることを特徴とする収納室の換気構造。
【請求項６】
請求項１〜５のいずれか一項に記載の収納室の換気構造において、
前記収納室と部屋との間には出入口が形成されるとともに、この出入口を開閉する開閉扉が設けられており、
この開閉扉には、前記収納室と部屋とを連通する第１通気部が前記特定階の床面に近い高さに設けられ、前記外壁には、建物外部へ通じる第２通気部が前記第１通気部に対向して設けられていることを特徴とする収納室の換気構造。
【発明の詳細な説明】
【技術分野】
【０００１】
本発明は、特定階の床の一部上に中間床が設けられ、この中間床と前記特定階の床との間に設けられた収納室の換気構造に関する。
【背景技術】
【０００２】
大型の収納室を備えた建物の一例として、特許文献１に記載のものが知られている。この建物では、１階と２階との間に収納室が設けられており、この収納室に隣接して居室が設けられている。この収納室の天井高は１．４ｍ程度であり、収納室への出入口は居室に面して設けられている。
したがって、収納室へは居室から出入口を通って自由に出入りでき、また、収納室の天井高が１．４ｍ程度あるので、大人でも腰を屈めた状態で出入りできるとともに、収納室内での作業も比較的容易に行うことができる。
【特許文献１】特開２００４−１１３３６号公報
【発明の開示】
【発明が解決しようとする課題】
【０００３】
ところで、上記のような建物では、上述したように大型の収納室を備え、出入りが容易であるので、この収納室には多種多様の物品が収納されるとともに、収納室内で長時間に亙って収納作業やその他の作業をする場合がある。収納される物品によっては、湿度や温度を一定の範囲に保持して収納する必要があったり、また、収納室内で作業する場合は、収納室内の換気を行うことが好ましい。さらに、多数の物品が収納室内に収納された際は、高く積み上げられた物品などによって、収納室内を換気しにくい場合がある。しかし、上記特許文献１には収納室の換気構造については何等記載されていない。
【０００４】
本発明の課題は、収納室を含む建物内部の換気を効率良く行うことができる収納室の換気構造を提供することを目的とする。
【課題を解決するための手段】
【０００５】
請求項１に記載の発明は、例えば図１および図２に示すように、特定階１の床１ａの一部上に設けられた中間床２と前記特定階１の床１ａとの間が収納室３とされ、この収納室３は前記特定階１の床１ａ上に設けられた部屋４と外壁５とに隣接して配置されており、
前記中間床２の下方に収納室３の天井面を構成する天井板６が設けられるとともに、この天井板６と前記中間床２の床板２ａの裏面との間に、建物外部と前記部屋４とを連通する換気通路７が形成されており、
この換気通路７は、前記天井板６に換気通路７と収納室３とを連通するための換気孔８が形成されることによって前記収納室３内に開口していることを特徴とする。
【０００６】
請求項１に記載の発明によれば、前記中間床２の下方に収納室３の天井面を構成する天井板６が設けられるとともに、この天井板６と前記中間床２の床板２ａの裏面との間に、建物外部と前記部屋４とを連通する換気通路７が形成されているので、この換気通路７を通じて外気を前記部屋４へと供給できるとともに、前記部屋４内の空気を建物外部に排出でき、前記部屋４内の換気を容易かつ確実に行うことができる。そして、このような換気通路７は、前記換気孔８が天井板６に形成されることによって、前記収納室３内に開口しているので、この換気孔８を通じて前記収納室３と前記換気通路７との間に空気を流通させることができ、前記収納室３内の換気を容易かつ確実に行うことができる。しかも、前記収納室３内に多数の物品が収納された場合であっても、収納された物品は前記天井板６より高く積み上げられることがなく、前記換気通路７を常時確保しておくことができるので、前記収納室３および部屋４を含む建物内部の換気を効率良く行うことができる。
【０００７】
請求項２に記載の発明は、例えば図１に示すように、請求項１に記載の収納室３の換気構造において、
前記収納室３の天井高が約１．４ｍ以下に設定されていることを特徴とする。
【０００８】
請求項２に記載の発明によれば、前記収納室３の天井高が約１．４ｍ以下に設定されているので、人が収納室３に入って何とか作業できる最低限の高さを確保して収納スペースとしての利便性を確保できるとともに、建物の高さが高くなるのを極力抑えることができる。したがって、このように建物の高さが高くなるのを極力抑えることと、収納室３に多数の物品が収納された場合であっても建物内部の換気を効率良く行うことができることとを確実に両立させることが可能となる。
【０００９】
請求項３に記載の発明は、例えば図３に示すように、請求項１または２に記載の収納室３の換気構造において、
前記換気通路７は、前記中間床２を下方から支持する複数の根太２ｂ，２ｂ…のうち、隣り合う根太２ｂ，２ｂ間の隙間を利用して形成されていることを特徴とする。
【００１０】
請求項３に記載の発明によれば、前記換気通路７は、前記中間床２を下方から支持する複数の根太２ｂ，２ｂ…のうち、隣り合う根太２ｂ，２ｂ間の隙間を利用して形成されているので、この換気通路７を形成する際に、前記収納室３のスペースを必要以上に縮小する必要がなく、収納室３内の収納スペースを極力広く確保することができる。
【００１１】
請求項４に記載の発明は、例えば図１に示すように、請求項１〜３のいずれか一項に記載の収納室３の換気構造において、
前記換気通路７は、この換気通路７の一端に前記外壁５に形成された空気取入口７ａを備えるとともに、他端に前記中間床２の部屋４側端面に形成された換気口７ｂを備えていることを特徴とする。
【００１２】
請求項４に記載の発明によれば、前記換気通路７は、この換気通路７の一端に前記空気取入口７ａを備えるとともに、他端に前記換気口７ｂを備えているので、前記空気取入口７ａから換気通路７内に流入した外気を前記部屋４へと確実に供給できるとともに、前記換気口７ｂから換気通路７内に流入した前記部屋４内の空気を建物外部に確実に排出でき、この換気通路７を通じて建物内の換気を確実に行うことができる。また、この換気通路７内の空気を前記換気孔８を通じて収納室３内へと確実に供給することができるので、収納室３内の換気をより容易かつ確実に行うことができる。
【００１３】
請求項５に記載の発明は、例えば図１および図４に示すように、請求項４に記載の収納室３の換気構造において、
前記空気取入口７ａおよび換気口７ｂは、これら空気取入口７ａおよび換気口７ｂを開閉する開閉手段７２，７５を備えていることを特徴とする。
【００１４】
請求項５に記載の発明によれば、前記空気取入口７ａおよび換気口７ｂは、これら空気取入口７ａおよび換気口７ｂを開閉する開閉手段７２，７５を備えているので、前記開閉手段７２，７５によって空気取入口７ａおよび換気口７ｂを開放することで、前記換気通路７を通じて空気を流通させることができるので、効率良く換気を行うことが可能となる。また、前記開閉手段７２，７５によって空気取入口７ａおよび換気口７ｂを閉塞することで、前記収納室３および部屋４の気密性を向上させることができるので、建物内部を暖房する際の補助となり、特に冬場等の寒冷な時季において過ごしやすい生活環境を形成することができる。また、台風等の強い風雨の際に雨水が建物内に浸入することを防ぐことができる。
【００１５】
請求項６に記載の発明は、例えば図１〜図３に示すように、請求項１〜５のいずれか一項に記載の収納室３の換気構造において、
前記収納室３と部屋４との間には出入口９が形成されるとともに、この出入口９を開閉する開閉扉９ａが設けられており、
この開閉扉９ａには、前記収納室３と部屋４とを連通する第１通気部９ｂが前記特定階１の床面に近い高さに設けられ、前記外壁５には、建物外部へ通じる第２通気部５ａが前記第１通気部９ｂに対向して設けられていることを特徴とする。
【００１６】
請求項６に記載の発明によれば、前記出入口９を開閉する開閉扉９ａに、前記収納室３と部屋４とを連通する第１通気部９ｂが前記特定階１の床面に近い高さに設けられ、前記外壁５に、建物外部へ通じる第２通気部５ａが前記第１通気部９ｂに対向して設けられているので、収納室３内の換気を効率良く行うことができる。すなわち、前記第１通気部９ｂおよび第２通気部５ａ間に空気を流通させるだけでなく、前記天井板６に形成された換気孔８を通じ、低い位置に設けられた第１通気部９ｂおよび第２通気部５ａと、高い位置に設けられた換気通路７間にも空気を流通させることができるので、収納室３全体に空気を流通させることができる。
【発明の効果】
【００１７】
本発明によれば、中間床の下方に収納室の天井面を構成する天井板が設けられるとともに、この天井板と前記中間床の床板の裏面との間に、建物外部と部屋とを連通する換気通路が形成されているので、この換気通路を通じて外気を部屋へと供給できるとともに、部屋内の空気を建物外部に排出でき、部屋内の換気を容易かつ確実に行うことができる。そして、このような換気通路は、換気孔が天井板に形成されることによって、収納室内に開口しているので、この換気孔を通じて収納室と換気通路との間に空気を流通させることができ、収納室内の換気を容易かつ確実に行うことができる。しかも、収納室内に多数の物品が収納された場合であっても、収納された物品は天井板より高く積み上げられることがなく、換気通路を常時確保しておくことができるので、収納室および部屋を含む建物内部の換気を効率良く行うことができる。
さらには、収納室の天井高が約１．４ｍ以下に設定されているので、人が収納室に入って何とか作業できる最低限の高さを確保して収納スペースとしての利便性を確保しつつ、建物の高さが高くなるのを極力抑えることができる。したがって、このように建物の高さが高くなるのを極力抑えることと、収納室に多数の物品が収納された場合であっても建物内部の換気を効率良く行うことができることとを確実に両立させることが可能となる。
【発明を実施するための最良の形態】
【００１８】
以下、図面を参照して本発明の実施の形態について説明する。なお、本実施の形態の収納室３の換気構造を備えた建物は、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００１９】
（第１の実施の形態）
本実施の形態の収納室３の換気構造は、図１および図２に示すように、特定階１の床１ａの一部上に設けられた中間床２と前記特定階１の床１ａとの間が収納室３とされ、この収納室３は前記特定階１の床１ａ上に設けられた部屋４と外壁５とに隣接して配置されており、前記中間床２の下方に収納室３の天井面を構成する天井板６が設けられるとともに、この天井板６と前記中間床２の床板２ａの裏面との間に、建物外部と前記部屋４とを連通する換気通路７が形成されており、この換気通路７は、前記天井板６に換気通路７と収納室３とを連通するための換気孔８が形成されることによって前記収納室３内に開口している。
【００２０】
ここで、本実施の形態の収納室３の換気構造を備える建物は、図１に示すように、上下２階建ての住宅となっており、前記収納室３は、下階１（特定階１）の床１ａの一部上に前記中間床２が設けられることによって、中間床２と下階１の床１ａとの間に形成されている。そして、この収納室３は、下階１の床１ａ上に設けられた部屋４と外壁５とに隣接するように配置されるとともに、この収納室３の上には、前記中間床２上に設けられる中間部屋２０が配置されている。
【００２１】
なお、特定階１とは、例えば、１階、２階、３階等の建物の所定の階を意味する。中間床２は特定階１の床１ａの上側でかつ特定階１に設けられる床であり、この中間床２と特定床の間が収納室３とされる。
【００２２】
なお、前記下階１の床１ａ上に設けられた部屋４は、前記収納室３の天井高に前記中間部屋２０の天井高を加えた分に近い天井高を有する吹き抜け空間となっており、例えばリビング・ダイニング等として使用することができる。
また、この部屋４と前記収納室３との間には出入口９が形成されるとともに、この出入口９を開閉する開閉扉９ａ（後述する）が設けられている。
【００２３】
また、前記中間部屋２０は、例えば寝室や子供部屋、書斎等として使用することができ、この中間部屋２０への昇降手段として階段（図示せず）が設けられる。なお、各部屋４，２０の用途が任意であることは言うまでもない。
【００２４】
前記収納室３には、上述したように前記中間床２の下方に収納室３の天井面を構成する天井板６が設けられている。そして、この天井板６と前記中間床２の床板２ａの裏面との間に、建物外部と前記部屋４とを連通する換気通路７が形成されている。
そして、この換気通路７は、前記天井板６に換気通路７と収納室３とを連通するための換気孔８が形成されることによって前記収納室３内に開口している。
【００２５】
これにより、前記換気通路７を通じて外気を前記部屋４へと供給できるとともに、前記部屋４内の空気を建物外部に排出できる。
そして、このような換気通路７は、前記換気孔８が天井板６に形成されることによって、前記収納室３内に開口しているので、この換気孔８を通じて前記収納室３と前記換気通路７との間に空気を流通させることができる。しかも、前記収納室３内に多数の物品が収納された場合であっても、収納された物品は前記天井板６より高く積み上げられることがなく、前記換気通路７を常時確保しておくことができる。
【００２６】
また、前記収納室３は、その天井高が約１．４ｍ以下に設定されている。なお、天井高が約１．４ｍ以下とは、人が前記収納室３に入って、何とか作業ができる最低限の高さを確保するための高さ範囲であり、かつ、このように天井高を必要最小限に抑えることで、建物の高さが高くなることによって隣接する建物に及ぼす日照減少等の影響を極力少なくすることができる高さ範囲である。また、前記収納室３の床面積が延べ床面積に算入されず、建物内に収納として利用できるスペースが存在するものの、実質的に延べ床面積が抑制され、容積率制限等を受けにくい利点が得られる。
【００２７】
さらには、前記収納室３の天井高が約１．４ｍ以下に設定されているので、人が収納室３に入って何とか作業できる最低限の高さを確保して収納スペースとしての利便性を確保できるとともに、建物の高さが高くなるのを極力抑えることができる。したがって、このように建物の高さが高くなるのを極力抑えることと、収納室３に多数の物品が収納された場合であっても建物内部の換気を効率良く行うことができることとを確実に両立させることが可能となる。
【００２８】
前記換気孔８は、図２に示すように、建物外部と前記部屋４とを連通するように形成された換気通路７に沿うようにして天井板６に多数形成されている。なお、本実施の形態の天井板６は、前記換気孔８が形成された板状体６ａと、換気孔８が形成されていない平らな板状体６ｂとを適宜並べて天井板６を構成するようにしている。
【００２９】
また、前記換気孔８の態様としては、例えば図５に示すように、複数のメッシュ８１，８１…が形成されたものや、図６に示すように、複数のスリット８２，８２…が形成されたもの等のように、常時に開口している態様のものや、図７に示すように、開閉可能な複数の羽板８３，８３…を備えたルーバー状のもの等、種々のものが挙げられる。なお、前記ルーバー状のものを採用する場合、全ての羽板８３，８３…が連動して開閉する構成となっている。
【００３０】
一方、前記換気通路７は、図３に示すように、前記中間床２の面材２ａ（床板２ａ）を下方から支持する複数の根太２ｂ，２ｂ…のうち、隣り合う根太２ｂ，２ｂ間の隙間を利用して形成されている。これにより、この換気通路７を形成する際に、前記収納室３のスペースを必要以上に縮小する必要がなく、収納室３内の収納スペースを極力広く確保することができるようになっている。
【００３１】
また、この換気通路７は、図１に示すように、この換気通路７の一端に前記外壁５に形成された空気取入口７ａを備えるとともに、他端に前記中間床２の部屋４側端面に形成された換気口７ｂを備えている。
すなわち、これら空気取入口７ａおよび換気口７ｂを備えることで、前記空気取入口７ａから換気通路７内に流入した外気を前記部屋４へと確実に供給できるとともに、前記換気口７ｂから換気通路７内に流入した前記部屋４内の空気を建物外部に確実に排出できるので、この換気通路７を通じて建物内の換気を確実に行うことができる。また、この換気通路７内の空気を前記換気孔８を通じて収納室３内へと確実に供給することができるので、収納室３内の換気をより容易かつ確実に行うことができるようになっている。
【００３２】
前記空気取入口７ａは、前記外壁５を貫通して換気通路７と建物外部とを連通するように設けられている。詳しくは、図１に示すように、前記中間床２の建物外部側端面に当接して建物外部に面して設けられる胴差材と、前記中間床２の框材２ｃと貫通するようにして前記空気取入口７ａが設けられている。一方、前記換気口７ｂは、前記中間床２の部屋４側端面の框材２ｃを貫通して換気通路７と部屋４とを連通するようにして設けられている。また、本実施の形態の空気取入口７ａおよび換気口７ｂは、図３および図４に示すように、複数の長孔７１，７４が並列形成されてなる。
【００３３】
また、これら空気取入口７ａおよび換気口７ｂは、これら空気取入口７ａおよび換気口７ｂを開閉する開閉手段７２，７５を備えており、前記開閉手段７２，７５によって空気取入口７ａおよび換気口７ｂを開放することで、前記換気通路７を通じて空気を流通させることができるので、効率良く換気を行うことが可能となる。また、前記開閉手段７２，７５によって空気取入口７ａおよび換気口７ｂを閉塞することで、前記収納室３および部屋４の気密性を向上させることができるので、建物内部を暖房する際の補助となり、特に冬場等の寒冷な時季において過ごしやすい生活環境を形成することができる。また、台風等の強い風雨の際に雨水が建物内に浸入することを防ぐことができる。
なお、前記空気取入口７ａには、換気通路７内に雨水が浸入することを防ぐフード部材７３が設けられている。
【００３４】
前記開閉手段７２，７５は、図４に示すように、前記空気取入口７ａおよび換気口７ｂと同形に形成された複数の長孔７２ａ，７５ｂを備えており、ツマミ部７２ｂ，７５ｂを長穴７２ｃ，７５ｃに沿って左右方向に動かすことで開閉できるようになっている。また、図２に示すように、前記空気取入口７ａおよび換気口７ｂは収納室３の内部から視認することができないので、例えば前記ツマミ部７２ｂ，７５ｂに、このツマミ部７２ｂ，７５ｂを左右に動かすことができるレバー（図示せず）を取り付けて、収納室３内から前記開閉手段７２，７５を操作できるようにしておくことが好ましい。
なお、本実施の形態の開閉手段７２，７５は以上のような構成としたが、これに限られるものではなく、本発明の趣旨を逸脱しない範囲で適宜変更可能である。
【００３５】
さらに、前記収納室３には、前記空気取入口７ａおよび換気口７ｂの他にも換気のための開口が設けられている。すなわち、上述した前記収納室３と部屋４との間に設けられた開閉扉９ａには、図１〜図３に示すように、前記収納室３と部屋４とを連通する第１通気部９ｂが前記特定階１の床面に近い高さに設けられ、前記外壁５には、建物外部へ通じる第２通気部５ａが前記第１通気部９ｂに対向して設けられている。
【００３６】
このように前記収納室３と部屋４とを連通する第１通気部９ｂが前記特定階１の床面に近い高さに設けられ、前記外壁５に、建物外部へ通じる第２通気部５ａが前記第１通気部９ｂに対向して設けられていることで、収納室３内の換気を効率良く行うことができる。
すなわち、前記第１通気部９ｂおよび第２通気部５ａ間に空気を流通させるだけでなく、前記天井板６に形成された換気孔８を通じ、低い位置に設けられた第１通気部９ｂおよび第２通気部５ａと、高い位置に設けられた換気通路７間にも空気を流通させることができるので、収納室３全体に空気を流通させることができるようになっている。
【００３７】
なお、これら第１通気部９ｂおよび第２通気部５ａについても、前記空気取入口７ａおよび換気口７ｂと同じように、複数の長孔９１，５１が並列形成されてなり、かつ、これら第１通気部９ｂおよび第２通気部５ａを開閉する開閉手段９２，５２を備えている。また、図１に示すように、前記外壁５に設けられた第２通気部５ａには、収納室３内に雨水が浸入することを防ぐフード部材５３が設けられている。
【００３８】
本実施の形態によれば、前記中間床２の下方に収納室３の天井面を構成する天井板６が設けられるとともに、この天井板６と前記中間床２の床板２ａの裏面との間に、建物外部と前記部屋４とを連通する換気通路７が形成されているので、この換気通路７を通じて外気を前記部屋４へと供給できるとともに、前記部屋４内の空気を建物外部に排出でき、前記部屋４内の換気を容易かつ確実に行うことができる。そして、このような換気通路７は、前記換気孔８が天井板６に形成されることによって、前記収納室３内に開口しているので、この換気孔８を通じて前記収納室３と前記換気通路７との間に空気を流通させることができ、前記収納室３内の換気を容易かつ確実に行うことができる。しかも、前記収納室３内に多数の物品が収納された場合であっても、収納された物品は前記天井板６より高く積み上げられることがなく、前記換気通路７を常時確保しておくことができるので、前記収納室３および部屋４を含む建物内部の換気を効率良く行うことができる。
さらには、前記収納室３の天井高が約１．４ｍ以下に設定されているので、人が収納室３に入って何とか作業できる最低限の高さを確保して収納スペースとしての利便性を確保できるとともに、建物の高さが高くなるのを極力抑えることができる。したがって、このように建物の高さが高くなるのを極力抑えることと、収納室３に多数の物品が収納された場合であっても建物内部の換気を効率良く行うことができることとを確実に両立させることが可能となる。
【００３９】
（第２の実施の形態）
次に、図面を参照して本発明の第２の実施の形態について説明する。なお、説明の便宜上、上述した第１の実施の形態とは異なる構成部分のみについて説明する。
【００４０】
本実施の形態の収納室１１の換気構造は、図８に示すように、中間床１０の下方に、この中間床１０から所定の間隔をあけて、収納室１１の天井面を構成する天井板１２が設けられている。
【００４１】
すなわち、このように前記中間床１０から所定の間隔をあけて天井板１１を設けることによって、図８中の仮想線（二点鎖線）で示すように、前記中間床１０よりも若干低い位置に換気通路１３を形成することが可能となる。
【００４２】
そして、このように前記中間床１０よりも若干低い位置に換気通路１３が形成されることによって、例えば前記中間床１０内に断熱材や遮音材等を充填しなければならなかったり、前記天井板１２の直上に位置する床が中間床１０ではない場合であっても対応できるようになっている。そして、収納室１１の換気を容易かつ確実に行うことができる。
【図面の簡単な説明】
【００４３】
【図１】本発明に係る収納室の換気構造の一例を示す断面図である。
【図２】収納室の内観を示す斜視図である。
【図３】換気通路の態様を示す斜視図である。
【図４】開閉手段の一例を示す正面図であり、（ａ）は閉塞時を示し、（ｂ）は開放時を示している。
【図５】換気孔の一例を示す部分拡大図である。
【図６】換気孔の一例を示す部分拡大図である。
【図７】換気孔の一例を示す断面図である。
【図８】本発明に係る収納室の換気構造のその他の例を示す断面図である。
【符号の説明】
【００４４】
１  特定階
２  中間床
３  収納室
４  部屋
５  外壁
６  天井板
７  換気通路
８  換気孔
【図１】
2008082025.tif 000003
【図２】
2008082025.tif 000004
【図３】
2008082025.tif 000005
【図４】
2008082025.tif 000006
【図５】
2008082025.tif 000007
【図６】
2008082025.tif 000008
【図７】
2008082025.tif 000009
【図８】
2008082025.tif 000010